【手続補正書】
【提出日】平成19年4月13日(2007.4.13)
【手続補正１】
【補正対象書類名】明細書
【補正対象項目名】全文
【補正方法】変更
【補正の内容】
【書類名】  明細書
【発明の名称】  洗濯乾燥機
【特許請求の範囲】
【請求項１】  筐体内に弾性的に吊支した外槽と、回転中心軸を鉛直方向に有し前記外槽内に回転自在に支持した内槽と、前記内槽の内底部に回転自在に設けた回転翼と、前記筐体に設けた開口部を開閉する蓋体と、前記蓋体を閉状態にロックする蓋ロック手段と、前記内槽または回転翼を駆動する駆動手段と、前記内槽内に循環風を送風する送風手段と、前記送風手段により送風される空気を加熱する加熱手段と、筐体内部に外部から冷却風を導入する冷却送風手段と、内槽内の温度を検知する温度検知手段と、スタート、一時停止や運転コース等を設定する入力設定手段と、前記温度検知手段等の出力を入力し前記入力設定手段により設定された設定内容に基づいて前記蓋ロック手段、駆動手段、送風手段、加熱手段、冷却送風手段等の動作を制御して洗濯および乾燥行程を制御する制御手段とを備え、前記制御手段は、脱水行程の後の乾燥行程において前記蓋ロック手段を駆動して前記蓋体を閉状態にロックするようにし、前記乾燥行程終了後に、少なくとも前記送風手段または冷却送風手段のいずれかを駆動する送風行程を、前記温度検知手段で検知した温度が第１の設定温度以下になるまで行った後に、前記蓋ロック手段を駆動して前記蓋体を開放状態にするようにした洗濯乾燥機であって、前記乾燥行程において前記入力設定手段により運転の一時停止を設定された場合に、前記温度検知手段で検知した温度が第２の設定温度以下であれば前記蓋ロック手段を駆動して前記蓋体を開放状態にするようにした洗濯乾燥機。
【請求項２】  制御手段は、電源投入時に温度検知手段で検知した温度が第２の設定温度以上の場合に、スタート、一時停止以外の入力設定手段からの入力を受け付けないようにした請求項１記載の洗濯乾燥機。
【請求項３】  制御手段は、電源投入時に温度検知手段で検知した温度が第２の設定温度以上の場合に、入力設定手段によりスタートされれば、少なくとも送風手段または冷却送風手段を駆動する送風運転を、前記温度検知手段で検知した温度が第２の設定温度以下になるまで行った後に、蓋ロック手段を駆動して蓋体を開放状態にするようにした請求項１または２に記載の洗濯乾燥機。
【発明の詳細な説明】
【０００１】
【発明の属する技術分野】
本発明は、回転中心軸を鉛直方向に有する内槽内に温風を送風して衣類を乾燥させる行程を有し、洗濯から乾燥までを一貫して実施できる洗濯乾燥機に関するものである。
【０００２】
【従来の技術】
従来、この種の洗濯乾燥機は、筐体内に弾性的に吊支した外槽内に、回転中心軸を鉛直方向に有する内槽を回転自在に支持し、内槽の内底部に回転翼を回転自在に設け、洗い行程、すすぎ行程では、回転翼を回転して内槽内で洗濯物（衣類）を洗い、すすぎするとともに、脱水行程では、内槽を高速回転させて脱水し、脱水行程につづく乾燥行程では、加熱手段により加熱した空気を送風手段により内槽内に送風し、循環風として循環させることで、乾燥するよう構成している。
【０００３】
一方、筐体に設けた開口部を開閉する蓋体を設け、この蓋体を開いて、内槽内に洗濯物を投入し、また、内槽内から取り出すようにしている。ここで、蓋体は洗い、すすぎ、脱水の各行程を有する洗濯行程、または乾燥行程のいずれの行程でも必要に応じて開閉できるようにしている。
【０００４】
また、洗濯から乾燥までを一貫して実施できる洗濯乾燥機として、内槽の回転中心軸を水平方向に有する、いわゆるドラム式洗濯乾燥機がある。このドラム式洗濯乾燥機は、筐体の前面開口部を開閉する蓋体を設け、この蓋体は、洗い行程で運転中に開けると内槽内の洗濯水が流出することから、運転を開始すると蓋体をロックするように構成している。
【０００５】
【発明が解決しようとする課題】
このような従来の洗濯乾燥機で、内槽の回転中心軸を鉛直方向に有する洗濯乾燥機では、乾燥行程で熱風を循環させることにより、内槽の温度が高温になった状態でも、蓋体を開けることができるため、使用者が製品の高温部に触れて火傷するなど、安全上の問題を有していた。
【０００６】
また、内槽の回転中心軸を水平方向に有する洗濯乾燥機では、蓋体を運転開始と同時にロックするため、乾燥行程前の洗い、すすぎ、脱水の各行程を有する洗濯行程で、洗濯物（衣類）を追加投入、または取り出しすることができず、使い勝手が悪いという問題を有していた。
【０００７】
本発明は上記従来の課題を解決するもので、乾燥行程で蓋体を開けられないようにして使用者が高温部に触れるのを防止し安全性を向上するとともに、乾燥行程の前行程では、衣類を追加投入、取り出しができるようにし、使い勝手を向上することを目的としている。
【０００８】
【課題を解決するための手段】
本発明は上記目的を達成するために、筐体内に弾性的に吊支した外槽内に、回転中心軸を鉛直方向に有する内槽を回転自在に支持し、内槽の内底部に回転翼を回転自在に設け、筐体に設けた開口部を開閉する蓋体を蓋ロック手段により閉状態にロックし、温度検知手段により内槽内の温度を検知し、入力設定手段によりスタート、一時停止や運転コース等を設定し、制御手段により、温度検知手段等の出力を入力し入力設定手段により設定された設定内容に基づいて、蓋ロック手段、内槽または回転翼を駆動する駆動手段、内槽内に循環風を送風する送風手段、送風手段により送風される空気を加熱する加熱手段、筐体内部に外部から冷却風を導入する冷却送風手段等の動作を制御して洗濯および乾燥行程を制御するよう構成し、制御手段は、脱水行程の後の乾燥行程において、蓋ロック手段を駆動して蓋体を閉状態にロックするようにし、乾燥行程終了後に、少なくとも送風手段または冷却送風手段のいずれかを駆動する送風行程を、温度検知手段で検知した温度が第１の設定温度以下になるまで行った後に、蓋ロック手段を駆動して蓋体を開放状態にするようにした洗濯乾燥機であって、乾燥行程において入力設定手段により運転の一時停止を設定された場合に、温度検知手段で検知した温度が第２の設定温度以下であれば蓋ロック手段を駆動して蓋体を開放状態にするようにしたものである。
【０００９】
これにより、乾燥行程で蓋体を開けられないようにできて使用者が高温部に触れるのを防止することができ、安全性を向上することができるとともに、乾燥行程の前行程では、衣類を追加投入、取り出しをすることができ、使い勝手を向上することができる。
【００１０】
【発明の実施の形態】
本発明の請求項１に記載の発明は、筐体内に弾性的に吊支した外槽と、回転中心軸を鉛直方向に有し前記外槽内に回転自在に支持した内槽と、前記内槽の内底部に回転自在に設けた回転翼と、前記筐体に設けた開口部を開閉する蓋体と、前記蓋体を閉状態にロックする蓋ロック手段と、前記内槽または回転翼を駆動する駆動手段と、前記内槽内に循環風を送風する送風手段と、前記送風手段により送風される空気を加熱する加熱手段と、筐体内部に外部から冷却風を導入する冷却送風手段と、内槽内の温度を検知する温度検知手段と、スタート、一時停止や運転コース等を設定する入力設定手段と、前記温度検知手段等の出力を入力し前記入力設定手段により設定された設定内容に基づいて前記蓋ロック手段、駆動手段、送風手段、加熱手段、冷却送風手段等の動作を制御して洗濯および乾燥行程を制御する制御手段とを備え、前記制御手段は、脱水行程の後の乾燥行程において前記蓋ロック手段を駆動して前記蓋体を閉状態にロックするようにし、前記乾燥行程終了後に、少なくとも前記送風手段または冷却送風手段のいずれかを駆動する送風行程を、前記温度検知手段で検知した温度が第１の設定温度以下になるまで行った後に、前記蓋ロック手段を駆動して前記蓋体を開放状態にするようにした洗濯乾燥機であって、前記乾燥行程において前記入力設定手段により運転の一時停止を設定された場合に、前記温度検知手段で検知した温度が第２の設定温度以下であれば前記蓋ロック手段を駆動して前記蓋体を開放状態にするようにしたものであり、乾燥行程では、加熱手段により加熱した空気を送風手段により内槽内に送風し、循環風として循環させることで、内槽や内槽に開閉自在に設けた内蓋が高温になるので、この乾燥行程で、蓋体をロックして開けられないようにすることにより、乾燥行程で温風を循環することにより高温となった内槽などの高温部に使用者が触れるのを防止することができ、乾燥運転終了後に、送風行程が終了したときには、衣類、内槽、内蓋など使用者が触れる部分の温度が低下しており、この状態で蓋体のロックを解除することで、蓋体を開けても火傷するなどの不安全はなくなり、安全性を向上することができるとともに、運転終了時にはロックが解除されているので使い勝手も向上でき、また、乾燥運転当初に運転の一時停止を設定された場合は、温度検知手段で検知した温度が第２の設定温度以下で、内槽や各部の温度は火傷するほど高くなく、触れられても不安全ということはないので、使用者が運転を一時停止すればロックを解除して蓋体を開けて、衣類を追加投入、取り出しすることができて使い勝手を向上することができ、さらに、乾燥運転開始後、温度検知手段で検知した温度が第２の設定温度以上になり、内槽や各部の温度が火傷するほど高くなってから、使用者が運転を一時停止したときは、蓋体のロックを解除しないようにして、安全性を向上することができる。
【００１１】
請求項２に記載の発明は、上記請求項１に記載の発明において、制御手段は、電源投入時に温度検知手段で検知した温度が第２の設定温度以上の場合に、スタート、一時停止以外の入力設定手段からの入力を受け付けないようにしたものであり、乾燥運転途中で電源を切られた後で電源を入れられた場合で、温度検知手段で検知した温度が第２の設定温度以上の場合には、各部の温度は高く、特に外槽の温度が高い状態で、脱水運転されると振動により外槽の変形量が大きくなり不安全となる。このような状態では、通常の洗濯または乾燥運転をできないようにすることで、安全性を向上することができる。
【００１２】
請求項３に記載の発明は、上記請求項１または２に記載の発明において、制御手段は、電源投入時に温度検知手段で検知した温度が第２の設定温度以上の場合に、入力設定手段によりスタートされれば、少なくとも送風手段または冷却送風手段を駆動する送風運転を、前記温度検知手段で検知した温度が第２の設定温度以下になるまで行った後に、蓋ロック手段を駆動して蓋体を開放状態にするようにしたものであり、乾燥運転途中で電源を切られた後で電源を入れられた場合で、温度検知手段で検知した温度が第２の設定温度以上の場合には、各部の温度は高いので、スタートすることにより強制冷却を行い、通常の洗濯または乾燥運転をできないようにし、衣類、内槽などの使用者が触れる部分の温度が下がった状態でロックを解除して蓋体を開けられるようにすることで、火傷するおそれもなく安全性を向上することができる。
【００１３】
【実施例】
以下、本発明の実施例について、図面を参照しながら説明する。
【００１４】
（実施例１）
図１に示すように、筐体１は、内部に、複数のサスペンション２によって外槽３を弾性的に吊支し、運転時の振動をサスペンション２によって吸収する構成としている。外槽３の内部には、回転中心軸を鉛直方向に有し洗濯物および乾燥対象物（以下、衣類という）を収容する内槽４を回転自在に支持し、内槽４の内底部に衣類を撹拌する回転翼５を回転自在に設けている。回転翼５は、外周が傾斜面形状の鍋型に形成している。
【００１５】
内槽４の内部周壁には多数の小孔（図示せず）を設け、その上方には流体バランサ６を設けている。そして、外槽３および内槽４の底部中心付近には、中空で二軸構造をしている洗濯・脱水軸７と、洗濯または脱水時により回転力の伝達を洗濯・脱水軸７に切り換えるクラッチ８を設けている。モータ（駆動手段）９は、外槽３に設け、クラッチ８を介して内槽４または回転翼５を駆動するようにしている。
【００１６】
外槽３の下部から、伸縮自在の下部蛇腹状ホース１０を介して循環ダクト１１へと通路を構成し、循環ダクト１１の出口は乾燥用送風機（送風手段）１２の入口に連結している。乾燥用送風機１２の出口は通路１１ａに連結し、この通路１１ａ内に加熱手段であるヒータ１３を設け、通路１１ａに伸縮自在の上部蛇腹状ホース１４を連結している。上部蛇腹状ホース１４は、内槽４へ向けて開口しており、内槽４は、内部周壁の小孔を通して外槽３に通じているので、これら通路は循環する経路を構成している。
【００１７】
内槽４の上部には開閉自在の内蓋１５を設けており、内蓋１５の近傍には、伸縮自在の上部蛇腹状ホース１４からつづく温風噴出孔１６を開けている。冷却用送風機（冷却送風手段）１７は、筐体１の側面に取り付け、筐体１の内部に外気を導入できるように構成している。排水弁１８は外槽３内の水を排水するものであり、切換弁１９は循環路を切り換えるものである。
【００１８】
給水弁２０は内槽４内に給水するものであり、水位検知手段２１は外槽３内の水位を検知するものである。温度検知手段２２は、上部蛇腹状ホース１４内に設け、ヒータ１３により加熱され、乾燥用送風機１２により送風される温風の温度を検知することで、内槽４内の温度を検知するようにしている。
【００１９】
蓋体２３は、筐体１に設けた開口部２４を開閉するもので、内蓋１５の上部に開閉自在に設けている。この蓋体２３は、図４に示すように、筐体１に設けた蓋ロック装置（蓋ロック手段）２５により閉状態にロックするようにしている。すなわち、蓋ロック装置２５から筐体１の穴１ａを通して蓋ロックレバー２６を出没させ、蓋ロックレバー２６が出た状態で蓋体２３の前方に設けた穴２３ａを貫通させる。この状態では、蓋体２３を開くために上方へ持ち上げようとしても、蓋ロックレバー２６が蓋体２３の穴２３ａに掛かっているためロック状態となる。
【００２０】
蓋ロック装置２５は、図５に示すように構成している。ベース２７は蓋ロック装置２５の外郭を構成し、内蔵する各部品を固定するものである。ソレノイド２８は磁路を形成する継鉄２８ｂを有するとともに巻線を樹脂モールドしており、端子２８ａから給電する。プランジャー２９は、ステンレス鋼等で形成し、ソレノイド２８の巻線の中空内部に往復動自在に配設している。このプランジャー２９は操作板３０を結合部３０ａにて結合し、ソレノイド２８に通電してプランジャー２９が吸引されると操作板３０も同時に動作するよう構成している。
【００２１】
回転板３１は、操作板３０に設けた突起３０ｂに連結し、突起で形成した支点３２を中心に操作板３０の動作に応じて回転自在としている。回転板３１の短尺側の腕３１ａに突起３０ｂにより操作板３０を連結し、長尺側の腕３１ｂに蓋ロックレバー２６を蓋ロックレバー２６に設けた突起２６ａで連結している。この回転板３１は支点３２を中心にシーソーのように回転して操作板３０の動作を蓋ロックレバー２６へ伝達する。
【００２２】
復帰ばね３３は、ベース２７の内壁に設けた突起７ａと、蓋ロックレバー２６と一体に設けた突起２６ｂとの間に支持し、蓋ロックレバー２６をベース２７の内部へ押し戻す方向、すなわちロック解除する方向に付勢している。これによって、ソレノイド２８に通電されなくなったとき、蓋ロックレバー２６をベース２７の内部へ押し戻す。
【００２３】
操作板３０、回転板３１は摺動をよくするため、ポリアミド樹脂、ポリアセタール樹脂などで形成している。蓋ロックレバー２６はロック時の蓋体２３を無理に開けようとする力に抗ずるためのせん断力も必要とするので、ポリアセタール樹脂などで形成している。
【００２４】
操作板３０の底面側に、図６および図７に示すように、略二重Ｙ字状の溝３４を設け、板ばね３５で付勢したピン３６が、操作板３０の移動に応じて溝３４を摺動するよう構成し、板ばね３５とピン３６は、ベース２７を構成する下側ケース２７ａにおいて穴２７ｃおよび凹部２７ｄにてそれぞれ係合している。特に、穴２７ｃはピン３６が略自在に動けるようにすり鉢状に形成している。
【００２５】
溝３４と板ばね３５とピン３６とで蓋ロックレバー２６の状態を保持する自己保持部を構成し、ピン３６は操作板３０の移動に応じて、図７の矢印方向へ相対的に移動し、ソレノイド２８に通電されない状態で、３４ａまたは３４ｃに位置するようにして操作板３０の状態を保持し、蓋ロックレバー２６の状態を保持するよう構成している。
【００２６】
つぎに、蓋ロック検知手段３７は、蓋ロックレバー２６の状態を検出するもので、マイクロスイッチで構成し、ボタンを押すためのレバー３７ａを併設しており、この蓋ロック検知手段３７は、操作板３０に一体に形成した突起３０ｃに係合した緩衝ばね３８を介して操作板３０の動作に応じて開閉動作を行い、電気信号を取り出すようにしている。
【００２７】
一方、操作板３０には、上側ケース２７ｂの開口部２７ｅを貫通した解除レバー３０ｄを一体に形成しており、この解除レバー３０ｄを外部より手動にて操作して操作板３０を移動させると、操作板３０をソレノイド２８で駆動するのと同じ動作を与えるように構成している。
【００２８】
つぎに、図１における制御装置３９は、操作表示部４０により設定された設定内容に基づいて、洗い、すすぎ、脱水の各行程を有する洗濯行程とこの洗濯行程につづく乾燥行程とを制御するもので、図２に示すように構成している。
【００２９】
制御手段４１は、マイクロコンピュータなどで構成し、水位検知手段２１、温度検知手段２２、蓋ロック検知手段３７の出力を入力し、入力設定手段４２により設定された設定内容に基づいて、表示手段４３に設定内容を表示するとともに、双方向性サイリスタ、リレーなどで構成した負荷駆動手段４４を介して、クラッチ８、モータ９、乾燥用送風機１２、ヒータ１３、冷却用送風機１７、排水弁１８、切換弁１９、給水弁２０、ソレノイド２８などの動作を制御して洗濯および乾燥行程を制御する。４５は商用電源、４６は電源スイッチである。
【００３０】
操作表示部４０は、図３に示すように、水位設定スイッチ４２ａ、洗い時間設定スイッチ４２ｂ、すすぎ時間設定スイッチ４２ｃ、脱水時間設定スイッチ４２ｄ、乾燥時間設定スイッチ４２ｅ、スタート・一時停止スイッチ４２ｆ、コース設定スイッチ４２ｇ、電源入／切スイッチ４２ｈなどの入力設定手段４２と、水位表示部４３ａ、洗い時間表示部４３ｂ、すすぎ時間表示部４３ｃ、脱水時間表示部４３ｄ、乾燥時間表示部４３ｅ、残り時間表示部４３ｆ、コース表示部４３ｇ、高温表示部４３ｈ、蓋ロック表示部４３ｉなどの表示手段４３とで構成している。
【００３１】
ここで、制御手段４１は、脱水行程の後の乾燥行程において、蓋ロック装置２５を駆動して蓋体２３を閉状態にロックするようにし、乾燥行程終了後に、乾燥用送風機１２、冷却用送風機１７を駆動する送風行程を、温度検知手段２２で検知した温度が第１の設定温度（たとえば、４５℃）以下になるまで行った後に、蓋ロック装置２５を駆動して蓋体２３を開放状態にするようにしている。
【００３２】
上記構成において動作を説明する。まず、洗濯行程について、図１を参照しながら説明する。内槽４に衣類４７、洗剤などを投入して運転を開始すると、制御装置３９により給水弁２０を駆動し、水位検知手段２１により検知した水位が所定の水位になるまで給水し、モータ９を駆動して内槽４を回転させる。このとき、排水弁１８と切換弁１９は閉じている。
【００３３】
このことにより、内槽４内の水の外周部分は、遠心力により上昇する。これに伴い、内槽４と外槽３の間の水は外槽３の内壁に沿って上昇した後、内槽４の上部から内槽４内に散水され、循環することになる。これにより、内槽４内では洗剤を含んだ水が衣類４７を通過することになり洗浄される。
【００３４】
その後、排水弁１８を開いて排水し、再度給水し洗濯行程と同様にして衣類をすすぐすすぎ行程を経て、脱水行程では、衣類４７が入った内槽４を高速で回転させることによって生じる遠心力により、衣類４７が内槽４の内壁に押しつけられることになり、この遠心力で水分が衣類４７から分離されて脱水される。
【００３５】
乾燥行程では、蓋ロック装置２５を駆動して蓋体２３を閉状態にロックし、切換弁１９を開いた状態で、乾燥用送風機１２の送風とヒータ１３の発熱により、上部蛇腹状ホース１４、温風噴出孔１６を通して内槽４へ乾いた温風が送り込まれる。
【００３６】
このとき、衣類４７は、回転翼５の左右回転により跳ね上げられたり、その後落下したりしている状態であり、内槽４へ送り込まれた温風は、これら衣類の動きの隙間を通るときに衣類から水分を奪い、湿った状態で、内槽４から外槽３の内側へと出た後、下部蛇腹状ホース１０を通過し、切換弁１９を通過して循環ダクト１１へ至る。この流れを、図１では、矢線で示している。
【００３７】
湿気を含んだ温風が、外槽３の内壁や循環ダクト１１内を通過しているとき、冷却用送風機１７による外部空気の流入で、外槽３や循環ダクト１１の外壁は冷却されることになり、湿った空気の水分はその内壁に結露し、湿った温風は除湿されて、乾燥用送風機１２へと戻る。外槽３の内壁に結露した水分は、切換弁１９を通過して、循環ダクト１１の内壁に結露した水分とともに排水口４８より適宜排出される。
【００３８】
乾燥行程終了後に、乾燥用送風機１２、冷却用送風機１７を駆動する送風行程を、温度検知手段２２で検知した温度が第１の設定温度以下になるまで行った後に、蓋ロック装置２５を駆動して蓋体２３を開放状態にする。
【００３９】
ここで、蓋ロック装置２５の動作を説明する。脱水行程の後に乾燥行程に入ると、制御手段４１は、負荷駆動手段４４を介して蓋ロック装置２５に内蔵したソレノイド２８に通電する。この通電によりプランジャー２９が吸引され、それと同時に、プランジャー２９に連結した操作板３０が、図５の矢印ａ方向に移動する。これにより、回転板３１は支点３２を中心として反時計方向に回転し、操作板３０の動作を蓋ロックレバー２６へ伝達する。この結果、蓋ロックレバー２６は、復帰ばね３３のばね力に抗して矢印ｂ方向に駆動され、ベース２７より突出して蓋体２３をロックする。
【００４０】
このときの溝３４と板ばね３５とピン３６とで構成した自己保持部の動作を図７を参照しながら説明する。蓋ロックレバー２６が引っ込んで復帰した状態（ソレノイド２８に通電する前の状態）は、復帰ばね３３により蓋ロックレバー２６をロック解除する方向に付勢しているため、ピン３６は３４ａに位置する。ソレノイド２８に通電されプランジャー２９が吸引されると、操作板３０も同時に移動してピン３６は３４ｂまで相対的に移動する。
【００４１】
ここで、ソレノイド２８の通電を停止すると、復帰ばね３３のばね力による操作板３０の戻りに応じて、ピン３６は３４ｃに相対的に移動し、ここで機構的に保持される。この状態で、蓋ロックレバー２６は飛び出した状態のままとなり、ソレノイド２８に通電しなくても蓋体２３はロックされた状態となる。
【００４２】
このとき、蓋ロック検知手段３７は、操作板３０に一体に形成した突起部３０ｃに係合した緩衝ばね３８を介して押されてオンし、このオン信号より蓋ロックレバー２６が飛び出した状態で蓋体２３をロックした状態であることを検知する。このオン信号を制御手段４１に入力することで、蓋ロックの状態を判定できる。
【００４３】
つぎに、この状態から、再度ソレノイド２８に通電すると、操作板３０も同時に移動してピン３６は、図７の３４ｄまで相対的に移動し、ソレノイド２８の通電を停止すると、復帰ばね３３のばね力による操作板３０の戻りに応じて、ピン３６は３４ａに相対的に戻る。これは蓋ロックレバー２６が初期の状態に引っ込んで復帰した状態であり、蓋体２３のロックを解除しており、蓋体２３を手動で開けることができる。
【００４４】
このとき、蓋ロック検知手段３７は、操作板３０が初期の状態に復帰することからオフし、このオフ信号より蓋ロックレバー２６が復帰した状態で蓋体２３をロック解除した状態であることを検知し、このオフ信号を制御手段４１に入力することで、蓋ロック解除の状態を判定できる。
【００４５】
つぎに、乾燥行程における動作について、図８を参照しながらさらに詳細に説明する。
【００４６】
ステップ５１で脱水行程が終了すると乾燥行程に入り、ステップ５２にて蓋ロック装置２５を動作させて蓋体２３をロック状態に保持する。ステップ５３にて蓋ロック検知手段３７よりオン信号（蓋ロック信号）が入力されているかを判定し、蓋ロック検知手段３７よりオン信号が入力されると、ステップ５４にて蓋ロック表示部４３ｉを点灯して蓋体２３がロックされていることを表示する。
【００４７】
ついで、ステップ５５にて、切換弁１９を開いた状態で、回転翼５を左右回転させながら、乾燥用送風機１２の送風とヒータ１３の発熱により内槽４へ温風を送り込み、内槽４内の衣類４７を乾燥させる乾燥運転制御を行う。そして、ステップ５６にて、温度検知手段２２により検知した温度が第２の設定温度（５５℃）以上であるかを判定し、第２の設定温度（５５℃）以上になれば、ステップ５７へ進み、高温表示部４３ｈを点灯する。また、ステップ５８にて、スタート・一時停止スイッチ４２ｆにより一時停止されると、ステップ５９にて一時停止処理を行う。
【００４８】
ステップ６０にて、乾燥検知センサ（図示せず）により乾燥終了まで、ステップ５５からステップ６０までの動作を繰り返し、ステップ６０にて乾燥終了すると、ステップ６１にて乾燥用送風機１２と冷却用送風機１７を駆動する送風運転を行い、ステップ６２にて、温度検知手段２２で検知した温度が第１の設定温度（４５℃）以下であるかを判定し、第１の設定温度（４５℃）以下になると、ステップ６３にて蓋ロック装置２５を再度動作させて蓋体２３をロック状態を解除する。
【００４９】
ステップ６４にて蓋ロック検知手段３７からのオン信号（蓋ロック信号）の有無を判定し、蓋ロック検知手段３７からのオン信号（蓋ロック信号）がなくなると、ステップ６５にて高温表示部４３ｈを消灯し、蓋ロック表示部４３ｉを消灯し、ステップ６６にて終了する。
【００５０】
ステップ５３にて、蓋ロック検知手段３７よりオン信号（蓋ロック信号）が入力されないときは、ステップ６７へ進み蓋ロック異常処理を行い、ステップ６８にて終了する。また、ステップ６４にて、蓋ロック検知手段３７からのオン信号（蓋ロック信号）がなくならないときも、同様に、ステップ６７へ進み蓋ロック異常処理を行い、ステップ６８にて終了する。
【００５１】
このように本実施例によれば、制御手段４１は、脱水行程の後の乾燥行程において、蓋ロック装置２５を駆動して蓋体２３を閉状態にロックするようにしているので、蓋体２３を開けることができないため、乾燥行程で温風を循環することにより高温となった内槽４などの高温部に触れるのを防止することができ、火傷するなどの不安全はなくなり、安全性を向上することができる。また、乾燥行程前の洗い、すすぎ、脱水の各行程を有する洗濯行程では、蓋体２３を自在に開閉できるため、衣類を追加投入、取り出しすることができ、使い勝手を向上することができる。
【００５２】
また、乾燥行程終了後に、乾燥用送風機１２、冷却用送風機１７を駆動する送風行程を、温度検知手段２２で検知した温度が第１の設定温度（４５℃）以下になるまで行った後に、蓋ロック装置２５を駆動して蓋体２３を開放状態にするようにしているので、乾燥運転終了後に送風行程が終了したときには、衣類４７、内槽４、内蓋１５など使用者が触れる部分の温度が低下しており、この状態で蓋体２３のロックを解除することで、蓋体２３を開けても火傷するなどの不安全はなくなり、安全性を向上することができるとともに、運転終了時にはロックが解除されているので使い勝手も向上できる。
【００５３】
なお、本実施例では、乾燥行程終了後における送風行程で、乾燥用送風機１２と冷却用送風機１７を駆動しているが、いずれか一方のみを駆動するだけでもよく、同様に作用効果を得ることができる。
【００５４】
また、第１の設定温度を４５℃、第２の設定温度を５５℃としているが、この温度に限らず、使用者が触れる部分が火傷するおそれのある温度以下で、第２の設定温度を第１の設定温度と同等もしくは高い温度とすることにより、乾燥運転当初に一時停止したときにロックが解除されて蓋体２３が開けられるケースが増え、衣類を取り出しまたは追加投入できるケースが増えるので、使い勝手を向上することができる。
【００５５】
また、温度検知手段２２を上部蛇腹状ホース１４内に設けているが、温度検知手段２２は内槽４、内蓋１５、衣類４７など使用者が触れる部分の温度と相関がある部分に設けてもよい。
【００５６】
（実施例２）
図２における制御手段４１は、乾燥行程においてスタート・一時停止スイッチ４２ｆにより運転の一時停止を設定された場合に、温度検知手段２２で検知した温度が第２の設定温度（たとえば、５５℃）以下であれば、蓋ロック装置２５を駆動して蓋体２３を開放状態にするようにしている。他の構成は上記実施例１と同じである。
【００５７】
上記構成において、乾燥行程においてスタート・一時停止スイッチ４２ｆにより運転の一時停止を設定されたときの動作を図９を参照しながら説明する。なお、洗濯行程および乾燥行程の基本的な動作と蓋ロック装置２５の動作は、上記実施例１の動作と同じであるので説明を省略する。
【００５８】
ステップ７０にて、乾燥行程にてスタート・一時停止スイッチ４２ｆにより運転の一時停止を設定されると、ステップ７１にて運転を停止し、ステップ７２にて、温度検知手段２２で検知した温度が第２の設定温度（５５℃）以下であるかを判定し、第２の設定温度（５５℃）以下になるとステップ７３へ進み、高温表示部４３ｈを消灯するとともに、蓋ロック装置２５を動作させて蓋体２３のロック状態を解除する。
【００５９】
ステップ７４にて蓋ロック検知手段３７からのオン信号（蓋ロック信号）の有無を判定し、蓋ロック検知手段３７からのオン信号（蓋ロック信号）がなくなると、ステップ７５にて蓋ロック表示部４３ｉを消灯し、ついでステップ７６へ進み、スタート・一時停止スイッチ４２ｆにより再スタートされるのを待つ。
【００６０】
ステップ７２にて、温度検知手段２２で検知した温度が第２の設定温度（５５℃）以下でないときは、ステップ７３からステップ７５を通ることなくステップ７６へ進み、スタート・一時停止スイッチ４２ｆにより再スタートされるのを待つ。
【００６１】
ステップ７６で再スタートされると、ステップ７７にて蓋ロック装置２５を動作させて蓋体２３をロック状態に保持する。ステップ７８にて蓋ロック検知手段３７よりオン信号（蓋ロック信号）が入力されているかを判定し、蓋ロック検知手段３７よりオン信号が入力されると、ステップ７９にて蓋ロック表示部４３ｉを点灯して蓋体２３がロックされていることを表示し、ステップ８０にて運転を再開し、ステップ８１にてリターンする。
【００６２】
ステップ７９にて、蓋ロック検知手段３７からのオン信号（蓋ロック信号）がなくならないときは、ステップ８３へ進み蓋ロック異常処理を行い、ステップ８４にて終了する。また、ステップ７８にて、蓋ロック検知手段３７よりオン信号（蓋ロック信号）が入力されないときも、ステップ８３へ進み蓋ロック異常処理を行い、ステップ８４にて終了する。
【００６３】
このように本実施例によれば、乾燥行程においてスタート・一時停止スイッチ４２ｆにより運転の一時停止を設定された場合に、温度検知手段２２で検知した温度が第２の設定温度（５５℃）以下であれば、蓋ロック装置２５を駆動して蓋体２３を開放状態にするようにしているので、乾燥運転開始後、温度検知手段２２で検知した温度が第２の設定温度以上になり、内槽４や各部の温度が火傷するほど高くなってから、使用者が運転を一時停止したときは、蓋体２３のロックを解除しないようにして、安全性を向上することができる。
【００６４】
また、乾燥運転当初で、内槽４や各部の温度は火傷するほど高くなく、温度検知手段２で検知した温度が第２の設定温度以下で、触れられても不安全でないときは、使用者が運転を一時停止すればロックを解除して蓋体２３を開けて、衣類を追加投入、取り出しすることができて使い勝手を向上することができる。
【００６５】
（実施例３）
図２に示す制御手段４１は、電源投入時に温度検知手段２２で検知した温度が第２の設定温度（たとえば、５５℃）以上の場合に、スタート・一時停止スイッチ４２ｆ以外の入力設定手段４２からの入力を受け付けないようにし、スタート・一時停止スイッチ４２ｆによりスタートされれば、乾燥用送風機１２と冷却用送風機１７を駆動する送風運転を、温度検知手段２２で検知した温度が第２の設定温度（５５℃）以下になるまで行った後に、蓋ロック装置２５を駆動して蓋体２３を開放状態にするようにしている。他の構成は上記実施例１と同じである。
【００６６】
上記構成において電源投入時の動作を図１０を参照しながら説明する。なお、洗濯行程および乾燥行程の基本的な動作と蓋ロック装置２５の動作は、上記実施例１の動作と同じであるので説明を省略する。
【００６７】
電源投入時に温度検知手段２２で検知した温度が第２の設定温度（５５℃）以上である場合は、乾燥運転途中で電源を切られた後で電源を入れられた場合であり、電源投入時に、ステップ９１にて温度検知手段２２で検知した温度が第２の設定温度（５５℃）以上であると、ステップ９２にて蓋ロック装置２５を動作させて蓋体２３をロック状態に保持し、ステップ９３にて蓋ロック検知手段３７よりオン信号（蓋ロック信号）が入力されているかを判定する。
【００６８】
蓋ロック検知手段３７よりオン信号が入力されると、ステップ９４にて、高温表示部４３ｈを点灯して温度が第２の設定温度（５５℃）以上であることを表示するとともに、蓋ロック表示部４３ｉを点灯して蓋体２３がロックされていることを表示する。この場合は、スタート・一時停止スイッチ４２ｆ以外の入力を受け付けないため、ステップ９５にて、スタート・一時停止スイッチ４２ｆによりスタートされるのを待つ。
【００６９】
なお、本発明にあっては、上記実施例１で説明したように、乾燥行程終了後に、温度検知手段２２で検知した温度が第１の設定温度（４５℃）以下になると、蓋ロック装置２５を駆動して蓋体２３を開放状態にするようにしていることから、第２の設定温度（５５℃）以上の場合は、蓋体２３はロック状態に保持しているため、通常では、上記ステップ９２からステップ９４までの動作は必要ない。
【００７０】
ステップ９１にて温度検知手段２２で検知した温度が第２の設定温度（５５℃）以上でない場合は、ステップ９９へ進み初期待機状態となり、入力設定手段４２のすべてのスイッチの入力を受け付け、入力設定手段４２の入力に基づいて、所定の動作をし、ステップ９７にて終了する。
【００７１】
ステップ９５にて、スタート・一時停止スイッチ４２ｆによりスタートされると、ステップ９８にて、高温表示部４３ｈを点滅して温度が第２の設定温度（５５℃）以上であることを表示し、ステップ９９にて乾燥用送風機１２と冷却用送風機１７を駆動する送風運転を行い、ステップ１００にて、温度検知手段２２で検知した温度が第２の設定温度（５５℃）以下であるかを判定し、第２の設定温度（５５℃）以下になると、ステップ１０１にて蓋ロック装置２５を動作させて蓋体２３をロック状態を解除する。
【００７２】
ステップ１０２にて蓋ロック検知手段３７からのオン信号（蓋ロック信号）の有無を判定し、蓋ロック検知手段３７からのオン信号（蓋ロック信号）がなくなると、ステップ１０３にて高温表示部４３ｈを消灯し、蓋ロック表示部４３ｉを消灯し、ステップ１０４にて終了する。
【００７３】
ステップ９３にて、蓋ロック検知手段３７よりオン信号（蓋ロック信号）が入力されないときは、ステップ１０５へ進み蓋ロック異常処理を行い、ステップ１０６にて終了する。ステップ１０２にて、蓋ロック検知手段３７からのオン信号（蓋ロック信号）がなくならないときも、ステップ１０５へ進み蓋ロック異常処理を行い、ステップ１０６にて終了する。
【００７４】
このように本実施例によれば、制御手段４１は、電源投入時に温度検知手段２２で検知した温度が第２の設定温度（たとえば、５５℃）以上の場合に、スタート・一時停止スイッチ４２ｆ以外の入力設定手段４２からの入力を受け付けないようにしているので、温度が第２の設定温度（５５℃）以上の場合には、各部の温度は高く、特に外槽３の温度が高い状態で、脱水運転されると振動により外槽３の変形量が大きくなり不安全となるため、通常の洗濯または乾燥運転をできないようにすることで、安全性を向上することができる。
【００７５】
また、スタート・一時停止スイッチ４２ｆによりスタートされれば、乾燥用送風機１２と冷却用送風機１７を駆動する送風運転を、温度検知手段２２で検知した温度が第２の設定温度（５５℃）以下になるまで行った後に、蓋ロック装置２５を駆動して蓋体２３を開放状態にするようにしているので、衣類４７、内槽４などの使用者が触れる部分の温度が下がった状態でロックを解除して蓋体２３を開けられるようにすることで、火傷するおそれもなく安全性を向上することができる。
【００７６】
【発明の効果】
以上のように本発明の請求項１に記載の発明によれば、筐体内に弾性的に吊支した外槽と、回転中心軸を鉛直方向に有し前記外槽内に回転自在に支持した内槽と、前記内槽の内底部に回転自在に設けた回転翼と、前記筐体に設けた開口部を開閉する蓋体と、前記蓋体を閉状態にロックする蓋ロック手段と、前記内槽または回転翼を駆動する駆動手段と、前記内槽内に循環風を送風する送風手段と、前記送風手段により送風される空気を加熱する加熱手段と、筐体内部に外部から冷却風を導入する冷却送風手段と、内槽内の温度を検知する温度検知手段と、スタート、一時停止や運転コース等を設定する入力設定手段と、前記温度検知手段等の出力を入力し前記入力設定手段により設定された設定内容に基づいて前記蓋ロック手段、駆動手段、送風手段、加熱手段、冷却送風手段等の動作を制御して洗濯および乾燥行程を制御する制御手段とを備え、前記制御手段は、脱水行程の後の乾燥行程において前記蓋ロック手段を駆動して前記蓋体を閉状態にロックするようにし、前記乾燥行程終了後に、少なくとも前記送風手段または冷却送風手段のいずれかを駆動する送風行程を、前記温度検知手段で検知した温度が第１の設定温度以下になるまで行った後に、前記蓋ロック手段を駆動して前記蓋体を開放状態にするようにした洗濯乾燥機であって、前記乾燥行程において前記入力設定手段により運転の一時停止を設定された場合に、前記温度検知手段で検知した温度が第２の設定温度以下であれば前記蓋ロック手段を駆動して前記蓋体を開放状態にするようにしたから、乾燥運転中は内槽や内槽に開閉自在に設けた内蓋が高温になるので、蓋体をロックして開けられない状態にすることにより、使用者が高温部に触れて火傷するなどの不安全はなくなり、送風行程が終了したときには、衣類、内槽、内蓋など使用者が触れる部分の温度が低下しており、この状態で蓋体のロックを解除することで、蓋体を開けても火傷するなどの不安全はなくなり、安全性を向上することができるとともに、運転終了時にはロックが解除されているので使い勝手も向上でき、また、乾燥運転当初に運転の一時停止を設定された場合は、内槽や各部の温度は火傷するほど高くなく、触れられても不安全ということはないので、蓋体を開けて、衣類を追加投入、取り出しすることができて使い勝手を向上することができ、乾燥運転開始後、温度検知手段で検知した温度が第２の設定温度以上になり、内槽や各部の温度が火傷するほど高くなってから、使用者が運転を一時停止したときは、蓋体のロックを解除しないようにして、安全性を向上することができる。
【００７７】
また、請求項２に記載の発明によれば、制御手段は、電源投入時に温度検知手段で検知した温度が第２の設定温度以上の場合に、スタート、一時停止以外の入力設定手段からの入力を受け付けないようにしたから、乾燥運転途中で電源を切られた後で電源を入れられた場合で、温度検知手段で検知した温度が第２の設定温度以上の場合には、各部の温度は高く、特に外槽の温度が高い状態で、脱水運転されると振動により外槽の変形量が大きくなり不安全となるので、通常の洗濯または乾燥運転をできないようにすることで、安全性を向上することができる。
【００７８】
また、請求項３に記載の発明によれば、制御手段は、電源投入時に温度検知手段で検知した温度が第２の設定温度以上の場合に、入力設定手段によりスタートされれば、少なくとも送風手段または冷却送風手段を駆動する送風運転を、前記温度検知手段で検知した温度が第２の設定温度以下になるまで行った後に、蓋ロック手段を駆動して蓋体を開放状態にするようにしたから、乾燥運転途中で電源を切られた後で電源を入れられた場合で、温度検知手段で検知した温度が第２の設定温度以上の場合には、衣類、内槽などの使用者が触れる部分の温度が下がった状態でロックを解除して蓋体を開けられるようにすることで、火傷するおそれもなく安全性を向上することができる。
【図面の簡単な説明】
【図１】
本発明の第１の実施例の洗濯乾燥機の縦断面図
【図２】
同洗濯乾燥機の要部ブロック回路図
【図３】
同洗濯乾燥機の操作表示部の正面図
【図４】
同洗濯乾燥機の要部拡大断面図
【図５】
同洗濯乾燥機の蓋ロック装置の断面図
【図６】
同洗濯乾燥機の蓋ロック装置の要部断面図
【図７】
同洗濯乾燥機の蓋ロック装置の要部下面図
【図８】
同洗濯乾燥機の要部動作フローチャート
【図９】
本発明の第２の実施例の洗濯乾燥機の要部動作フローチャート
【図１０】
本発明の第３の実施例の洗濯乾燥機の要部動作フローチャート
【符号の説明】
１    筐体
３    外槽
４    内槽
５    回転翼
９    モータ（駆動手段）
１２  乾燥用送風機（送風手段）
１３  ヒータ（加熱手段）
１７  冷却用送風機（冷却送風手段）
２３  蓋体
２４  開口部
２５  蓋ロック装置（蓋ロック手段）
４１  制御手段